(57)【特許請求の範囲】
【請求項１】
手持ち式の静電気を使用したコーティング材料分配装置であって、
円筒部と
前記円筒部から下方に延伸するハンドルと、
を具備するコーティング材料分配装置において、
前記ハンドルが、圧縮ガス駆動の発電電動機械と圧縮ガス流入ポートと電気出力ポートとを含むモジュール、低電位源と電気出力ポートとを連結するための入力ポートを含むモジュール、バッテリーと電気出力ポートとを含むモジュール、及び高電位源に連結するためのポートを含むモジュールを包含するモジュールのグループから選択されたモジュールを含む、コーティング材料分配装置。
【請求項２】
前記モジュールのグループが、燃料電池と電気出力ポートとを含むモジュールをさらに包含する、請求項１に記載のコーティング材料分配装置。
【請求項３】
インバータと乗算器とをさらに包含する、請求項１に記載のコーティング材料分配装置。
【請求項４】
前記圧縮ガス駆動の発電電動機械が、前記圧縮ガス流入ポートに連結された空気タービンを包含する、請求項１に記載のコーティング材料分配装置。
【請求項５】
前記モジュールが、低電位源と電気出力ポートとを連結するためのポートを含むモジュール及び高電位源に連結するためのポートを含むモジュールを含むモジュールのグループから選択され、前記選択されたモジュールがさらに、前記コーティング材料分配装置にコーティング材料を供給するためのポートを含み、前記コーティング材料分配装置に電位供給源を連結するためのポートと前記コーティング材料分配装置にコーティング材料を供給するためのポートとを結んで引かれた線が、前記円筒部の長手方向と同一方向に延伸する、請求項１に記載のコーティング材料分配装置。
【請求項６】
前記モジュールが、低電位源と電気出力ポートとを連結するためのポートを含むモジュール及び高電位源に連結するためのポートを含むモジュールを含むモジュールのグループから選択され、前記選択されたモジュールがさらに、前記コーティング材料分配装置にコーティング材料を供給するためのポートを含み、前記コーティング材料分配装置に電位供給源を連結するためのポートと前記コーティング材料分配装置にコーティング材料を供給するためのポートとを結んで引かれた線が、前記円筒部の長手方向とは別の方向に延伸する、請求項１に記載のコーティング材料分配装置。
【請求項７】
前記モジュールが、圧縮ガス駆動の発電電動機械と圧縮ガス流入ポートと電気出力ポートとを含むモジュール、及びさらに、前記コーティング材料分配装置にコーティング材料を供給するためのポートを含むモジュールを包含し、前記圧縮ガス流入ポートと前記コーティング材料分配装置にコーティング材料を供給するための前記ポートとを結んで引かれた線が、前記円筒部の長手方向と同一方向に延伸する、請求項１に記載のコーティング材料分配装置。
【請求項８】
前記モジュールが、圧縮ガス駆動の発電電動機械と圧縮ガス流入ポートと電気出力ポートとを含むモジュール、及びさらに、前記コーティング材料分配装置にコーティング材料を供給するためのポートを含むモジュールを包含し、前記圧縮ガス流入ポートと前記コーティング材料分配装置にコーティング材料を供給するための前記ポートとを結んで引かれた線が、前記円筒部の長手方向とは別の方向に延伸する、請求項１に記載のコーティング材料分配装置。
【請求項９】
手持ち式のコーティング材料分配装置であって、
円筒部と
前記円筒部から下方に延伸するハンドルと、
を具備するコーティング材料分配装置において、
前記ハンドルが、第一及び第二の導管とそれぞれに連結するための第一及び第二のポートを含むモジュールを包含し、
前記第一の導管が、前記コーティング材料分配装置に分配されるコーティング材料の流れを提供するための物であり、前記第二の導管が、前記コーティング材料分配装置から戻されるコーティング材料の流れを提供するための物である、コーティング材料分配装置。
【請求項１０】
前記コーティング材料分配装置が、圧縮ガスを使用したコーティング材料分配装置を包含し、前記モジュールが、圧縮ガス源に連結するためのポート及び前記第一と第二のポートを包含し、前記モジュールが、前記第一ポートと圧縮ガス源に連結するためのポートとを結んで引かれた線が、前記円筒部の長手方向とは別の方向に延伸するモジュール、及び前記第一ポートと圧縮ガス源に連結するためのポートとを結んで引かれた線が、前記円筒部の長手方向と同一方向に延伸するモジュールから選択される、請求項９に記載のコーティング材料分配装置。
【請求項１１】
前記コーティング材料分配装置が、圧縮ガスを使用したコーティング材料分配装置を包含し、前記モジュールが、圧縮ガス源に連結するためのポート及び前記第一と第二のポートを包含し、前記モジュールが、前記第二ポートと圧縮ガス源に連結するためのポートとを結んで引かれた線が、前記円筒部の長手方向とは別の方向に延伸するモジュール、及び前記第二ポートと圧縮ガス源に連結するためのポートとを結んで引かれた線が、前記円筒部の長手方向と同一方向に延伸するモジュールから選択される、請求項９に記載のコーティング材料分配装置。
【請求項１２】
前記コーティング材料分配装置が、静電気を使用したコーティング材料分配装置を包含し、前記モジュールが、前記コーティング材料分配装置に電位供給源を連結するためのポートを包含し、前記モジュールは、前記第一ポートと電位供給源に連結するためのポートとを結んで引かれた線が、前記円筒部の長手方向とは別の方向に延伸するモジュール、及び前記第一ポートと電位供給源に連結するためのポートとを結んで引かれた線が、前記円筒部の長手方向と同一方向に延伸するモジュールから選択される、請求項９に記載のコーティング材料分配装置。
【請求項１３】
前記コーティング材料分配装置が、静電気を使用したコーティング材料分配装置を包含し、前記モジュールが、前記コーティング材料分配装置に電位供給源を連結するためのポートを包含し、前記モジュールは、前記第二ポートと電位供給源に連結するためのポートとを結んで引かれた線が、前記円筒部の長手方向とは別の方向に延伸するモジュール、及び前記第二ポートと電位供給源に連結するためのポートとを結んで引かれた線が、前記円筒部の長手方向と同一方向に延伸するモジュールから選択される、請求項９に記載のコーティング材料分配装置。
【請求項１４】
手持ち式の圧縮ガスを使用したコーティング材料分配装置であって、
円筒部と
前記円筒部から下方に延伸するハンドルと、
を具備するコーティング材料分配装置において、
前記ハンドルが、前記コーティング材料分配装置に供給されるコーティング材料の流量を調整するためのモジュール、及び前記コーティング材料分配装置に供給される前記圧縮ガスの圧力と前記コーティング材料分配装置に供給される前記コーティング材料の流量とを調整するためのモジュールを含むモジュールのグループから選択されたモジュールを包含する、コーティング材料分配装置。
【請求項１５】
手持ち式の静電気と圧縮ガスとを使用したコーティング材料分配装置であって、
円筒部と
前記円筒部から下方に延伸するハンドルと、
を具備するコーティング材料分配装置において、
前記ハンドルが、コーティング材料、圧縮ガス、及び電気の、供給源に連結するためのポートを含むモジュールを包含し、前記モジュールは、前記コーティング材料ポート、圧縮ガスポート、及び電気供給ポートのそれぞれの組を結んで引かれた線が、前記円筒部の長手方向と同一方向に延伸するモジュール、並びに前記コーティング材料ポート、圧縮ガスポート、及び電気供給ポートのそれぞれの組を結んで引かれた線が、三角形の辺を形成するモジュールから選択される、コーティング材料分配装置。
【発明の詳細な説明】
【技術分野】
【０００１】
本発明は、手持ち式のコーティング噴霧分配装置（今後、時にはスプレイガン）に関する。しかしながら、その他への適用においても同様に有用と考えられる。
【背景技術】
【０００２】
多数のスプレイガンが周知である。興味のある形態は、以下に列挙された米国特許及び公開された出願（特許文献１から特許文献９７）に図示され記載されたものである。さらに米国特許（特許文献９８から特許文献１１１）が参照される。この結果、これらの参照文献の明細は、参照によってここに組込まれる。この一覧表において、全ての関連技術の完璧な調査がなされた、又は列挙されたものより適切な技術は最早存在しない、又は列挙された技術が特許性とって重要であるということにはならない。このような表現はなされるべきでない。
【０００３】
【特許文献１】米国特許出願公開第２００３／０００６３２２号明細書
【特許文献２】米国特許第６７１２２９２号明細書
【特許文献３】米国特許第６６９８６７０号明細書
【特許文献４】米国特許第６６６９１１２号明細書
【特許文献５】米国特許第６５７２０２９号明細書
【特許文献６】米国特許第６４６０７８７号明細書
【特許文献７】米国特許第６４０２０５８号明細書
【特許文献８】米国特許第ＲＥ３６３７８号明細書
【特許文献９】米国特許第６２７６６１６号明細書
【特許文献１０】米国特許第６１８９８０９号明細書
【特許文献１１】米国特許第６１７９２２３号明細書
【特許文献１２】米国特許第５８３６５１７号明細書
【特許文献１３】米国特許第５８２９６７９号明細書
【特許文献１４】米国特許第５８０３３１３号明細書
【特許文献１５】米国特許第ＲＥ３５７６９号明細書
【特許文献１６】米国特許第５６３９０２７号明細書
【特許文献１７】米国特許第５６１８００１号明細書
【特許文献１８】米国特許第５５８２３５０号明細書
【特許文献１９】米国特許第５５５３７８８号明細書
【特許文献２０】米国特許第５４００９７１号明細書
【特許文献２１】米国特許第５３９５０５４号明細書
【特許文献２２】米国特許第Ｄ３４９５５９号明細書
【特許文献２３】米国特許第５３５１８８７号明細書
【特許文献２４】米国特許第５３３２１５９号明細書
【特許文献２５】米国特許第５３３２１５６号明細書
【特許文献２６】米国特許第５３３０１０８号明細書
【特許文献２７】米国特許第５３０３８６５号明細書
【特許文献２８】米国特許第５２９９７４０号明細書
【特許文献２９】米国特許第５２８９９７４号明細書
【特許文献３０】米国特許第５２８４３０１号明細書
【特許文献３１】米国特許第５２８４２９９号明細書
【特許文献３２】米国特許第５２３６１２９号明細書
【特許文献３３】米国特許第５２０９４０５号明細書
【特許文献３４】米国特許第５２０９３６５号明細書
【特許文献３５】米国特許第５１７８３３０号明細書
【特許文献３６】米国特許第５１１９９９２号明細書
【特許文献３７】米国特許第５１１８０８０号明細書
【特許文献３８】米国特許第５１８０１０４号明細書
【特許文献３９】米国特許第Ｄ３２５２４１号明細書
【特許文献４０】米国特許第５０９０６２３号明細書
【特許文献４１】米国特許第５０７４４６６号明細書
【特許文献４２】米国特許第５０６４１１９号明細書
【特許文献４３】米国特許第５０５４６８７号明細書
【特許文献４４】米国特許第Ｄ３１８７１２号明細書
【特許文献４５】米国特許第５０２２５９０号明細書
【特許文献４６】米国特許第４９９３６４５号明細書
【特許文献４７】米国特許第４９３４６０７号明細書
【特許文献４８】米国特許第４９３４６０３号明細書
【特許文献４９】米国特許第４９２７０７９号明細書
【特許文献５０】米国特許第４９１１３６７号明細書
【特許文献５１】米国特許第Ｄ３０５４５３号明細書
【特許文献５２】米国特許第Ｄ３０５４５２号明細書
【特許文献５３】米国特許第Ｄ３０５０５７号明細書
【特許文献５４】米国特許第Ｄ３０３１３９号明細書
【特許文献５５】米国特許第４８４４３４２号明細書
【特許文献５６】米国特許第４７７０１１７号明細書
【特許文献５７】米国特許第４７６０９６２号明細書
【特許文献５８】米国特許第４７５９５０２号明細書
【特許文献５９】米国特許第４７４７５４６号明細書
【特許文献６０】米国特許第４７０２４２０号明細書
【特許文献６１】米国特許第４６１３０８２号明細書
【特許文献６２】米国特許第４６０６５０１号明細書
【特許文献６３】米国特許第Ｄ２８７２６６号明細書
【特許文献６４】米国特許第４５３７３５７号明細書
【特許文献６５】米国特許第４５２９１３１号明細書
【特許文献６６】米国特許第４５１３９１３号明細書
【特許文献６７】米国特許第４４８３４８３号明細書
【特許文献６８】米国特許第４４５３６７０号明細書
【特許文献６９】米国特許第４４３７６１４号明細書
【特許文献７０】米国特許第４４３３８１２号明細書
【特許文献７１】米国特許第４４０１２６８号明細書
【特許文献７２】米国特許第４３６１２８３号明細書
【特許文献７３】米国特許第Ｄ２７０３６８号明細書
【特許文献７４】米国特許第Ｄ２７０３６７号明細書
【特許文献７５】米国特許第Ｄ２７０１８０号明細書
【特許文献７６】米国特許第Ｄ２７０１７９号明細書
【特許文献７７】米国特許第ＲＥ３０９６８号明細書
【特許文献７８】米国特許第４３３１２９８号明細書
【特許文献７９】米国特許第４２４８３８６号明細書
【特許文献８０】米国特許第４２１４７０９号明細書
【特許文献８１】米国特許第４１７４０７１号明細書
【特許文献８２】米国特許第４１７４０７０号明細書
【特許文献８３】米国特許第４１６９５４５号明細書
【特許文献８４】米国特許第４１６５０２２号明細書
【特許文献８５】米国特許第Ｄ２５２０９７号明細書
【特許文献８６】米国特許第４１３３４８３号明細書
【特許文献８７】米国特許第４１１６３６４号明細書
【特許文献８８】米国特許第４１１４５６４号明細書
【特許文献８９】米国特許第４１０５１６４号明細書
【特許文献９０】米国特許第４０８１９０４号明細書
【特許文献９１】米国特許第４０３７５６１号明細書
【特許文献９２】米国特許第４０３０８５７号明細書
【特許文献９３】米国特許第４００２７７７号明細書
【特許文献９４】米国特許第４００１９３５号明細書
【特許文献９５】米国特許第３９９０６０９号明細書
【特許文献９６】米国特許第３９６４６８３号明細書
【特許文献９７】米国特許第３９４００６１号明細書
【特許文献９８】米国特許第６５６２１３７号明細書
【特許文献９９】米国特許第６４２３１４２号明細書
【特許文献１００】米国特許第６１４４５７０号明細書
【特許文献１０１】米国特許第５９７８２４４号明細書
【特許文献１０２】米国特許第５１５９５４４号明細書
【特許文献１０３】米国特許第４７４５５２０号明細書
【特許文献１０４】米国特許第４４８５４２７号明細書
【特許文献１０５】米国特許第４４８１５５７号明細書
【特許文献１０６】米国特許第４３２４８１２号明細書
【特許文献１０７】米国特許第４１８７５２７号明細書
【特許文献１０８】米国特許第４０７５６７７号明細書
【特許文献１０９】米国特許第３８９４２７２号明細書
【特許文献１１０】米国特許第３８７５８９２号明細書
【特許文献１１１】米国特許第３８５１６１８号明細書
【特許文献１１２】米国特許第４２１９８６５号明細書
【特許文献１１３】米国特許第４２９００９１号明細書
【発明の開示】
【課題を解決するための手段】
【０００４】
本発明の第一態様に従って、手持ち式の、静電気を使用したコーティング材料分配装置は、円筒部とその円筒部から概ね下方に延伸するハンドルとを包含する。ハンドルは、圧縮ガス駆動の発電電動機械と圧縮ガスの流入ポートと電気出力ポートとを含むモジュール、低電位源と電気出力ポートとを連結するための入力ポートを含むモジュール、バッテリーと電気出力ポートとを含むモジュール、及び高電位源に連結するためのポートを含むモジュールの、少なくとも二つを包含するモジュールのグループから選択されたモジュールを含む。
【０００５】
本発明のこの態様に例示的に従って、モジュールのグループがさらに、燃料電池と電気出力ポートとを含むモジュールを包含する。
【０００６】
さらに本発明のこの態様に例示的に従って、コーティング材料分配装置は、インバータと乗算器とを包含する。
【０００７】
本発明のこの態様に例示的に従って、圧縮ガス駆動の発電電動機械は、圧縮ガス流入ポートに連結された空気タービンを包含する。
【０００８】
本発明のこの態様に例示的に従って、モジュールは、低電位源と電気出力ポートとを連結するためのポートを含むモジュール及び高電位源に連結するためのポートを含むモジュールを含む、モジュールのグループから選択される。選択されたモジュールはさらに、コーティング材料分配装置にコーティング材料を供給するためのポートを包含する。コーティング材料分配装置に電位供給源を連結するためのポートとコーティング材料分配装置にコーティング材料を供給するためのポートとを結んで引かれた線は、円筒部の長手方向と概ね同一の方向に延伸する。
【０００９】
代替として、本発明のこの態様に例示的に従って、引かれた線は、円筒部の長手方向とは別の方向に延伸する。
【００１０】
本発明のこの態様に例示的に従って、モジュールは、圧縮ガス駆動の発電電動機械と圧縮ガス流入ポートと電気出力ポートとを含むモジュールを包含する。モジュールはさらに、コーティング材料分配装置にコーティング材料を供給するためのポートを包含する。圧縮ガス流入ポートとコーティング材料分配装置にコーティング材料を供給するためのポートとを結んで引かれた線は、円筒部の長手方向と概ね同一の方向に延伸する。
【００１１】
代替として、本発明のこの態様に例示的に従って、引かれた線は、円筒部の長手方向とは別の方向に延伸する。
【００１２】
本発明の別の態様に従って、手持ち式のコーティング材料分配装置は、円筒部と円筒部から概ね下方に延伸するハンドルとを包含する。ハンドルは、第一及び第二の導管とそれぞれに連結するための第一及び第二のポートを含むモジュールを包含する。前記第一の導管は、コーティング材料分配装置に分配されるコーティング材料の流れを提供する。前記第二の導管は、コーティング材料分配装置から戻されるコーティング材料の流れを提供する。
【００１３】
本発明のこの態様に例示的に従って、コーティング材料分配装置は、圧縮ガスを使用したコーティング材料分配装置を包含する。モジュールは、圧縮ガス源に連結するためのポート及び第一と第二のポートを包含する。モジュールは、第一ポートと圧縮ガス源に連結するためのポートとを結んで引かれた線が、円筒部の長手方向とは別の方向に延伸するモジュール、及び第一ポートと圧縮ガス源に連結するためのポートとを結んで引かれた線が、円筒部の長手方向と概ね同一の方向に延伸するモジュールから選択される。
【００１４】
本発明のこの態様に例示的に従って、コーティング材料分配装置は、圧縮ガスを使用したコーティング材料分配装置を包含する。モジュールは、圧縮ガス源に連結するためのポート及び第一と第二のポートを包含する。モジュールは、第二ポートと圧縮ガス源に連結するためのポートとを結んで引かれた線が、円筒部の長手方向とは別の方向に延伸するモジュール、及び第二ポートと圧縮ガス源に連結するためのポートとを結んで引かれた線が、円筒部の長手方向と概ね同一の方向に延伸するモジュールから選択される。
【００１５】
本発明のこの態様に例示的に従って、コーティング材料分配装置は、静電気を使用したコーティング材料分配装置を包含する。モジュールは、コーティング材料分配装置に電位供給源を連結するためのポートを包含する。モジュールは、第一ポートと電位供給源に連結するためのポートとを結んで引かれた線が、円筒部の長手方向とは別の方向に延伸するモジュール、及び第一ポートと電位供給源に連結するためのポートとを結んで引かれた線が、円筒部の長手方向と概ね同一の方向に延伸するモジュールから選択される。
【００１６】
本発明のこの態様に例示的に従って、コーティング材料分配装置は、静電気を使用したコーティング材料分配装置を包含する。モジュールは、コーティング材料分配装置に電位供給源を連結するためのポートを包含する。モジュールは、第二ポートと電位供給源に連結するためのポートとを結んで引かれた線が、円筒部の長手方向とは別の方向に延伸するモジュール、及び第二ポートと電位供給源に連結するためのポートとを結んで引かれた線が、円筒部の長手方向と概ね同一の方向に延伸するモジュールから選択される。
【００１７】
本発明の別の態様に従って、手持ち式の圧縮ガスを使用したコーティング材料分配装置は、円筒部と円筒部から概ね下方に延伸するハンドルとを包含する。ハンドルは、コーティング材料分配装置に供給される圧縮ガスの圧力を調整するためのモジュール、コーティング材料分配装置に供給されるコーティング材料の流量を調整するためのモジュール、及びコーティング材料分配装置に供給される圧縮ガスの圧力とコーティング材料分配装置に供給されるコーティング材料の流量とを調整するためのモジュールの、少なくとも一つを含むモジュールのグループから選択されたモジュールを包含する。
【００１８】
本発明の別の態様に従って、手持ち式の静電気と圧縮ガスとを使用したコーティング材料分配装置は、円筒部と円筒部から下方に延伸するハンドルとを包含する。ハンドルは、コーティング材料、圧縮ガス、及び電気の供給源に連結するためのポートを含むモジュールを包含する。モジュールは、コーティング材料ポート、圧縮ガスポート、及び電気供給ポートのそれぞれの組を結んで引かれた線が、円筒部の長手方向と概ね同一方向に延伸するモジュール、並びにコーティング材料ポート、圧縮ガスポート、及び電気供給ポートのそれぞれの組を結んで引かれた線が、三角形の辺を形成するモジュールから選択される。
【発明を実施するための最良の形態】
【００１９】
以下の詳細な記述と本発明を示す添付図面を参照することによって、本発明は最善に理解される。
【００２０】
ある静電気を使用したコーティング噴霧分配装置（今後時折、静電気式スプレイガン）は、例えばこのようなスプレイガンに供給される空気から発電する内部空気タービンのような発電電動機械から動力を供給される。この一般的なタイプのスプレイガンは、例えば、特許文献１１２と１１３で図解され述べられる。このようなスプレイガンは、容易な設定を提供し、容易な操作となるようになっている。このようなスプレイガンの製造者は、このようなスプレイガンを外部電源に接続するための、いかなる電力ケーブルも無いことを指摘する。
【００２１】
幾つかの静電気式スプレイガンは、外部電源から動力を供給される。このような外部電源装置は、例えば110VAC、60Hzの線間電圧、220VAC、50又は60Hzの線間電圧、又は同様のものから概ね動力を供給され、相対的に静止している。その結果、このような静電気式スプレイガンは、外部電源装置と高電位又は低電位のケーブルによって連結される。しかし、このような装置は一般的に、設定するために多少の物を伴うが、それらは概ね、改良された制御、表示及びユーザインターフェースの機能を提供する。
【００２２】
ここで図１と２を参照して、本発明に従って構成されるスプレイガン１００に関して、ユーザは売却時を考慮した、又は何時でも動力方式を切替えることが出来る動力源を選択するかもしれない。これはユーザが入力動力の必要条件に合致するように装置を形成することを可能にし、図１の可撓性導管１０４を介してスプレイガンに供給される圧縮空気による空気駆動電源１０２、図２のボード上のインバータ及び乗算器に供給する低電圧（例えば+/-24VDC）電源１０６及び低電圧ケーブル１０８、図１の一つ又はそれ以上のバッテリー、例えば、コードレスの電動携帯工具及びその様なものに電力を供給し、ボード上のインバータ及び乗算器に低DC電圧を供給するタイプのバッテリーを収納するバッテリーパック１１０、図１の高電圧（例えば-35KVDC、-65KVDC、又は-85KVDC）電源１１２及び高電圧ケーブル１１４の、何れかによって動力を供給される。これらの様々なタイプの電源装置は、例えば上記の特許文献９８から特許文献１１３に示される。
【００２３】
動力源モジュール１１６、１１８、１２０、１２２、１２５は、第一モジュール１１６、１１８、１２０、１２２、１２５を取外し、スプレイガン１００に第二モジュール１１６、１１８、１２０、１２２、１２５を取付けることによって交換可能である。図１のモジュール１１６は、適切な空気流入１２４の及び電気出力１２６の接続部を備える空気タービン１０２を含む。図２の別のモジュール１１８は、タービンモジュール１１６と同様の電気出力の接続部１２６を備える低電圧ケーブル１０８のアセンブリを含む。図１の別のモジュール１２０は、モジュール１１６、１１８と同様の電気出力の接続部１２６を備えるバッテリーパック１１０を含む。図１の別のモジュール１２２は、高電圧ケーブル１１４のための接続部を含む。図１の別のモジュール１２５は、例えば水素／酸素又は亜鉛／酸素（空気）燃料電池のような燃料電池１２７を含み、例えばモジュール１１６、１１８及び１２０等々と同様の電気出力の接続部１２６を有する。モジュール１１６、１１８、１２０、１２２、１２５を、図１、２及び４−８の、例えばネジが切られた留め具１４１によって、例えばハンドル１４２の下端部に取付けるために、図３のハンドル１４２’に挿入して形成してもよく、又は図９の、例えばネジが切られた留め具１４３又はその様な物によって円筒部１４７に取付けられる、ハンドル全体１４２”を備えるように形成してもよい。
【００２４】
幾人かのユーザは、可撓性の導管１０４を介してスプレイガンに供給される圧縮空気による空気駆動源１０２によって、低電圧電源１０６及びボード上のインバータと乗算器とへの低電圧ケーブル１０８によって、ボード上のインバータと乗算器とへ低DC電圧を供給するバッテリーパック１１０によって、又は高電圧電源１１２と高電圧ケーブル１１４によって、動力を供給される様々なスプレイガンを好む。動力源の選択を顧客に提供するために静電気式スプレイガン及び関連商品の多様で異なる型式を開発し、製造し、及び在庫する経費によって、幾人かの製造業者は、特定の動力源又は数種の動力源及び単一の静電気式スプレイガンの型式に焦点を合わせることを選択した。述べられた型式のモジュール化は、高い開発及び在庫経費を緩和すると考えられる。
【００２５】
幾つかの型式のスプレイ塗布の別の必要条件を考えると、スプレイガン１００によって分配される多数の種類のコーティング材料は、それらが分配されるまでの間、比較的一定割合で循環させる必要がある。これは、例えば、コーティング材料が分配されていない期間中に、コーティング材料の固体成分がコーティング材料の液体成分から沈殿することを防止するために必要であるかもしれない。分配されていない時にこのようなコーティング材料を連続的に循環しないと、コーティング材料は、スプレイガン１００にこのようなコーティング材料の供給源１３６を連結する導管１３２、１３４内に留まることになるだろう。
【００２６】
再循環型の塗布で使用される多数の先行技術のスプレイガンにおいて、このような再循環は、スプレイガンのハンドルの取付け部品に再循環が必要なコーティング材料用の導管を取付けること、及びスプレイガンのハンドルの別の取付け部品に取付けられる別の導管を介してコーティング材料をコーティング材料の供給源に戻すことによって達成される。スプレイガンのハンドル端部に複数の取付け部品を取付けることは、より重くより容積が大きくなり、操作することがより困難なスプレイガンに成るかもしれない。図７と８を参照して、本発明に従うモジュール１３８、１３９は、より軽く、より小型の、より人間工学的な配置で、導管１３２、１３４を介してスプレイガン１００のハンドル１４２に、及びハンドル１４２から噴霧される材料の再循環を可能にする。
【００２７】
ここで特に図１０ａ−ｃを参照して、幾つかのコーティング塗布例において、一定流量を達成するために、スプレイガン１００に供給される空気及び／又はコーティング材料を調整することが所望される。多数の先行技術のスプレイガンにおいて、この目的は、スプレイガン１００に連結された流体回路に、空気及び／又はコーティング材料の調整器と結合する取付け部品を用意することによって達成される。このような構成要素は嵩が有り、スプレイガン１００の操作をより困難にする、又は構成要素はスプレイガン１００から離れて配置され、それらへのアクセスをより不便にする。本発明に従って構成されたモジュール１４８、１５０、１５２は、より軽量でより小型の配置のハンドル１４２で直接に、空気圧力（図１０ａの１４８）、コーティング材料の流量（図１０ｂの１５０）、又はその両方（図１０ｃの１５２）の調整を可能にし、それ故に、より便利にアクセス可能な調整器制御を備える、より人間工学的なスプレイガン１００になる。
【００２８】
ここで特に図５-７と７ａを参照して、幾人かのユーザは、スプレイガン１００のハンドル１４２への、空気導管１０４（有る場合に）、コーティング材料導管１３２、１３４（有る場合に）、及び電気ケーブル１０８、１１４（有る場合に）の接続部の一列配置１６０を選択するかもしれない。別のユーザは、例えばこれらの接続部の三角配置１６２を選択するかもしれない。多数の先行技術の装置において、両方の選択肢を提供することは、製造業者が二つの異なる形態のために異なる金型とブラケットを設計する必要がある。それらの比較的複雑な細部のために、ハンドルの金型は概ね相対的に高価であり、長いリードタイムを有する。加えてあるユーザは、特定のスプレイガンにおいて、形態１６０、１６２のただ一つを又はその他の一つを有するだろう。本発明は、特定のスプレイガン１００において、それぞれに一列配置１６０の及び三角配置１６２の接続部のためのモジュール１６４、１３８の両方が維持され、交互に切換ることが出来ることを意図している。
【００２９】
最後にここで特に図１１を参照して、モジュール１１６、１１８、１２０、１２２、１２５、１３８、１３９、１４８、１５０、１５２、及び１６４が所望されないとすると、スプレイガン１００全体の重量と大きさを低減させるために、スプレイガン１００をブラケット１７０によって取付けることが出来る。コーティング材料供給導管１３２、圧縮空気供給導管１０４、及び導電体１０８又は１１４は、ハンドル１４２へ直接接続される。
【図面の簡単な説明】
【００３０】
【図１】本発明に従って構成された装置の簡易線図を示す。
【図２】本発明に従って構成された装置の簡易線図を示す。
【図３】本発明に従って構成された別の装置の簡易線図を示す。
【図４】図１−２に示された構成要素の幾らか拡大された側面図を示す。
【図５】図４に示された構成要素の詳細で、概ね図４の矢視線５−５に沿った底面図を示す。
【図６】図５に示された詳細に対し、代替の詳細図を示す。
【図７】図５に示された詳細に対し、代替の詳細図を示す。
【図７ａ】図５に示された詳細に対し、代替の詳細図を示す。
【図８】図５に示された詳細に対し、代替の詳細図を示す。
【図９】本発明に従って構成された別の装置の簡易線図を示す。
【図１０ａ】本発明に従って構成されたその他の装置の拡大部分断面側面図を示す。
【図１０ｂ】本発明に従って構成されたその他の装置の拡大部分断面側面図を示す。
【図１０ｃ】本発明に従って構成されたその他の装置の拡大部分断面側面図を示す。
【図１１】別の装置の拡大部分断面側面図を示す。
【図１】
0005487367.tif 000002
【図２】
0005487367.tif 000003
【図３】
0005487367.tif 000004
【図４】
0005487367.tif 000005
【図５】
0005487367.tif 000006
【図６】
0005487367.tif 000007
【図７】
0005487367.tif 000008
【図７ａ】
0005487367.tif 000009
【図８】
0005487367.tif 000010
【図９】
0005487367.tif 000011
【図１０ａ】
0005487367.tif 000012
【図１０ｂ】
0005487367.tif 000013
【図１０ｃ】
0005487367.tif 000014
【図１１】
0005487367.tif 000015